(57)【要約】【課題】ＣＣＤの電荷容量よりも多くの電荷を含み、ブルーミングイメージ欠陥をもたらすフォトダイオードの問題点を克服する。【解決手段】イメージセンサ内の光センシング領域から電荷結合デバイスへ電荷を転送する方法であって、この方法は、光生成電荷を収集する光センシング領域と、電荷結合デバイス領域と、それらの間にある転送領域とを含む複数の画素を提供するステップと、前記電荷結合デバイスにバリアを提供して、前記電荷の前記電荷結合デバイスを通った前記転送を生じさせるステップと、前記電荷結合デバイスよりも低いバリアを有する前記転送領域を提供して、前記電荷結合デバイス内の過剰な電荷を前記光センシング領域に流すステップと、を包含する。【選択図】図１
2010233256.tif 000002
【特許請求の範囲】
【請求項１】
光センシング領域と電荷結合デバイス領域との間に転送領域を備えるイメージセンサ内の前記光センシング領域から前記電荷結合デバイスへ電荷を転送する方法であって、
（ａ）所定の露光時間で前記光センシング領域において電荷を収集することにより画像を取得するステップと、
（ｂ）前記転送領域のバリアを下げて、前記光センシング領域から前記電荷結合デバイス領域へ電荷を転送するステップと、
（ｃ）前記転送領域のバリアを上げて、前記電荷結合デバイス領域の過剰な電荷を前記光センシング領域へ戻すことを許容するステップと、
（ｄ）前記電荷結合デバイス領域に転送された電荷をさらに前記電荷結合デバイス領域外へ転送するステップと、
（ｅ）前記光センシング領域が満たされている場合、前記電荷結合デバイス領域外へ転送された電荷を保持すると共に、前記光センシング領域からすべての電荷が転送され、前記電荷結合デバイス領域外へ転送されるまで前記（ｃ）から（ｅ）のステップを繰り返すステップと、
（ｆ）前記保持された電荷を加算することで前記画像を再現するステップと、
を備える方法。
【請求項２】
光センシング領域と電荷結合デバイス領域との間に転送領域を備えるイメージセンサ内の前記光センシング領域から前記電荷結合デバイスへ電荷を転送する方法であって、
（ａ）所定の露光時間で前記光センシング領域において電荷を収集することにより画像を取得するステップと、
（ｂ）部分的に前記転送領域のバリアを下げて、前記光センシング領域から前記電荷結合デバイス領域へ電荷を転送するステップと、
（ｃ）前記電荷結合デバイス領域が満たされている場合、前記転送領域のバリアを上げるステップと、
（ｄ）前記電荷結合デバイス領域外へ電荷を転送するステップと、
（ｅ）前記電荷結合デバイス領域外へ転送された電荷を保持するステップと、
（ｆ）前記転送領域のバリアを下げて、前記光センシング領域から前記電荷結合デバイス領域へ電荷を転送するステップと、
（ｇ）前記転送領域のバリアを上げるステップと、
（ｈ）前記電荷結合デバイス領域外へ電荷を転送するステップと、
（ｉ）前記保持された電荷及び前記電荷結合デバイス領域から読み出された電荷を加算することで前記画像を再現するステップと、
を備える方法。
【発明の詳細な説明】
【技術分野】
【０００１】
本発明は、一般的には、電荷結合デバイス（ＣＣＤ）に隣接したフォトダイオードを有するイメージセンサの分野に関しており、より具体的には、ＣＣＤがその最大容量の電荷をフォトダイオードから受け取り、フォトダイオード電荷の任意の過剰電荷容量がフォトダイオードに流れ戻るようなイメージセンサに関している。フォトダイオード内のこの蓄えられた過剰電荷は、引き続いてＣＣＤに転送して戻され、その特定のフォトダイオードに対する電荷に加算される。
【背景技術】
【０００２】
インターラインＣＣＤ画素５の典型的な構造が、図１に示されている。これは、ＣＣＤ２０に隣接したフォトダイオード１０からなっている。このフォトダイオード１０は、入射光のフォトンを電荷に変換する。ＣＣＤ２０を通った電荷の転送は、一般的に、少なくとも２つの制御ゲート４０及び５０によって制御される。ゲートの一つ５０は転送ゲート領域３０を有し、これは、電荷のフォトダイオード１０からＣＣＤ２０への転送を制御する。画素５は、少なくとも１行１列の２次元アレイに配置されている。
【０００３】
図２は、図１の断面Ａ−Ｂを示す。この断面は画素５の付加的な詳細を示しており、これは、ゲート５０をＣＣＤ２０から隔てるゲート絶縁物７０を含んでいる。また、光電荷がＣＣＤ２０内で生成されることを妨げる光シールド６０もある。フォトダイオード１０の電荷は、高電圧パルスを基板８０に印加することによってクリアされる。
【０００４】
カメラにおいて外部シャッタを使用してイメージを獲得するイベントの典型的なシーケンスは、（ａ）外部シャッタを開けて露光時間を開始する、（ｂ）所望の露光時間だけ待つ、（ｃ）外部シャッタを閉じて露光時間を終了させる、（ｄ）フォトダイオード１０からＣＣＤ２０まで電荷を転送する、（ｅ）制御ゲート４０及び５０をクロックすることによってＣＣＤ２０を通って電荷を転送し、電荷測定構造に向かって電荷を動かす、である。
【発明の概要】
【発明が解決しようとする課題】
【０００５】
ときおり、非常に短い露光時間が望まれる。すなわち、外部シャッタによって得ることができるものよりも遥かに短い。この場合、インターラインＣＣＤの電子シャッタ能力が使用される。電子シャッタを使用してイメージを獲得するイベントの典型的なシーケンスは、（ａ）外部シャッタを開ける、（ｂ）基板８０に電圧パルスを印加してフォトダイオード１０をクリアする、（ｃ）所望の露光時間だけ待つ、（ｄ）フォトダイオード１０からＣＣＤ２０まで電荷を転送し、露光時間を終了させる、（ｅ）外部シャッタを閉じる、（ｅ）制御ゲート４０及び５０をクロックすることによってＣＣＤ２０を通って電荷を転送し、電荷測定構造に向かって電荷を動かす、である。電子シャッタを使用するとき、全画素が電荷をフォトダイオードからＣＣＤへ同時に転送しなければならない。同時電荷転送は、高速で動く物体のイメージを獲得するときに、望まれない欠陥を妨げる。フォトダイオードの電荷容量は、ＣＣＤの電荷容量よりも小さくなるように設計されなければならない。フォトダイオードがＣＣＤの電荷容量よりも多い電荷を含むと、ＣＣＤはオーバーフローする。これは、通常はブルーミングイメージ欠陥と称される。
【０００６】
図３は、図１の点Ａから点Ｃへの断面であり、ＣＣＤ内でブルーミングがどのように生じるかを描いている。断面は、フォトダイオード１０で始まり、転送ゲート領域３０を通り、それからＣＣＤ２０まで行く。図３のＣＣＤはまた、バリア埋め込み物９０及び９５を示しており、これらはＣＣＤチャンネル２０内のポテンシャルエネルギーを改変して、電荷転送の方向を制御するために使用される。図３の時刻Ｔ１にてＣＣＤは空であり、フォトダイオードは充満電荷パケットを含んでいる。この場合、ブルーミングを描くために、電荷パケットはＣＣＤの容量よりも大きい。時刻Ｔ２にて、転送ゲート領域の上方のゲート５０は高電圧レベルに設定され、これがフォトダイオードとＣＣＤとの間のバリアを下げる。全ての電荷は、フォトダイオードからＣＣＤに流れる。それから時刻Ｔ３にて、ゲート５０は、その通常の低レベルに戻る。電荷パケットはゲート５０の下に完全にフィットしないので、電荷は、ゲート４０に戻るようにこぼれる。
【０００７】
ここで記述される本発明は、ＣＣＤの電荷容量よりも多くの電荷を含み、ブルーミングイメージ欠陥をもたらすフォトダイオードの問題点を克服する。
【課題を解決するための手段】
【０００８】
本発明は、上述の問題の一つ又はそれ以上を克服することを目的としている。簡単に要約すると、本発明の一つの局面によれば、本発明はイメージセンサ内の光センシング領域から電荷結合デバイスへ電荷を転送する方法にあり、この方法は、（ａ）光生成電荷を収集する光センシング領域と、電荷結合デバイス領域と、それらの間にある転送領域とを含む複数の画素を提供するステップと、（ｂ）前記電荷結合デバイスにバリアを提供して、前記電荷の前記電荷結合デバイスを通った前記転送を生じさせるステップと、（ｃ）前記電荷結合デバイスよりも低いバリアを有する前記転送領域を提供して、前記電荷結合デバイス内の過剰な電荷を前記光センシング領域に流すステップと、を包含する。
【発明の効果】
【０００９】
本発明のこれら及びその他の局面、目的、特徴、及び効果は、好適な実施形態の以下の詳細な記述及び添付の請求項の参照から、及び添付の図面を参照することによって、より明瞭に理解され且つ認識される。
【図面の簡単な説明】
【００１０】
【図１】従来技術のＣＣＤの上面図である。
【図２】図１の従来技術のＣＣＤの線Ａ−Ｂに沿った側面図である。
【図３】読み出しを描いた図１のタイミング図である。
【図４】本発明のイメージセンサのタイミング図である。
【図５】本発明のイメージセンサを使用したイメージ獲得のための流れ図である。
【図６】本発明を具現化するカメラの図である。
【図７】本発明の例示的な実用的アプリケーションのためのイメージ獲得ステップを描いた流れ図である。
【図８】本発明の代替的な実施形態を示す図である。
【図９】本発明の代替的な実施形態の例示的な実用的アプリケーションのためのイメージ獲得ステップを描いた流れ図である。
【発明を実施するための形態】
【００１１】
本発明は、ブルーミング欠陥を防ぐ効果を有する一方で、引き続く読み出しの間にフォトダイオード内の元々の電荷を全て保存する。
【００１２】
本発明の第１の実施形態が図４に示されている。転送ゲート領域３０のポテンシャルの従来技術からの相違に留意することは、有益である。転送ゲート領域３０におけるポテンシャルは、ＣＣＤ２０のバリア９０及び９５よりも深くなるように調整される。深い転送ゲート領域バリアは、ＣＣＤ内の過剰電荷が、従来技術におけるように隣接するＣＣＤゲートにオーバーフローする（ブルーミングする）代わりに、フォトダイオード内にオーバーフローすることを許容する。図４の時刻Ｔ１において、フォトダイオードは電荷で満たされており、ＣＣＤへの転送の準備ができている。時刻Ｔ２において、ゲート５０の電圧は高レベルに設定され、フォトダイオードとＣＣＤとの間のバリアを下げて、電荷が転送ゲート領域３０を通って転送されることを許容する。Ｔ３にて、ゲート５０の電圧がその通常の低レベルに戻ると、過剰電荷は転送ゲート領域を通ってフォトダイオードに流れて戻る。
【００１３】
この実施形態の別の利点は、フォトダイオードにオーバーフローして戻る電荷が依然として利用され得る点である。ＣＣＤの電荷がＣＣＤの外に転送されて測定されると、フォトダイオード内の過剰電荷は、今や空になっているＣＣＤ内に転送され得る。それらの過剰電荷はそれから、ＣＣＤの外に転送されて測定される。２つの測定値が一緒に加算されて、フォトダイオード内に元々あった電荷の全量が回復される。この結果として、フォトダイオードの電荷の全体が、ＣＣＤ電荷取り扱い容量を越えても測定された。これは、小さなバケツを複数回満たすことによって、小さなバケツで大きなバケツの水を空にしている人物に類似している。本発明では、フォトダイオードから少量の電荷を複数回転送することによって、より小さな電荷容量のＣＣＤが、より大きなフォトダイオードを空にする。
【００１４】
図５は、本発明の第１の実施形態を利用しているカメラ９８の完全なイメージ獲得シーケンスを示す流れ図である。図６に示されたカメラ９８は、レンズ１００、外部シャッタ１１０、及びインターラインＣＣＤイメージセンサ１２０からなっている。図５のイメージ獲得シーケンスは、外部シャッタを開けて（Ｓ２）、カメラレンズによって形成されたイメージにセンサを露光することによって始まる。フォトダイオードのアレイ全体が、インターラインＣＣＤの電子シャッタ能力を利用することによってクリアされる（Ｓ４）。これは、イメージ積算時間の開始をマークする。積算時間の終了（Ｓ６）において転送ゲート領域３０がオンされて、オン状態に保持される（Ｓ８）。電荷がフォトダイオードからＣＣＤに転送された後に、電子シャッタがオンに戻り、且つオンを保持して、フォトダイオード内の電荷の更なる蓄積を妨げる（Ｓ１０）。電子シャッタは、外部シャッタが完全に閉じた（Ｓ１２）後にようやく、オフする（Ｓ１４）。ここで、転送ゲート領域３０がオフする（Ｓ１６）。フォトダイオードがＣＣＤ内にフィットするよりも多くの電荷を含んでいたら、そのときには、過剰分はフォトダイオードにオーバーフローして戻ることが許容される（Ｓ１８）。ここで、イメージがＣＣＤから読み出される（Ｓ２０）。イメージのどれかの画素がＣＣＤを満たすのに十分な電荷を含んでいたら、そのときには、その画素に対して、フォトダイオード内に依然としていくらかの電荷が残存している可能性がある（Ｓ２２）。フォトダイオードは第２の時刻で読み出されて（Ｓ２４）、ＣＣＤからフォトダイオードにオーバーフローして戻った電荷を得る。このプロセスは、フォトダイオードが全て空になるまで繰り返される。フォトダイオードが１回より多く読み出されなければならなかったときには、そのときには第２のもの（且つ必要であったら第３のイメージ）が一緒に加算されて（Ｓ２６）、最終イメージを再構築する（Ｓ２８）。
【００１５】
図７は、電子シャッタがない場合における、本発明の第１の実施形態のイメージ獲得シーケンスを示す。このシーケンスは、イメージセンサのフォトダイオードが全て空の状態で始まる。外部シャッタが開けられ（Ｓ３０）、且つ閉じられて（Ｓ３４）、イメージセンサを所定の露光時間だけイメージに露光する（Ｓ３２）。露光時間は、外部シャッタによって完全に制御される。外部シャッタは、イメージ読み出しの間に、フォトダイオードによる電荷の付加的な蓄積を妨げるために使用される。次に、転送ゲート領域がオンし（Ｓ３６）、フォトダイオードからＣＣＤへ電荷を転送する。転送ゲート領域がオフすると（Ｓ３８）、短い遅延によって、ＣＣＤ内の過剰電荷がフォトダイオードにオーバーフローして戻ることが許容される（Ｓ４０）。それからＣＣＤ内のイメージが読み出され、記憶される（Ｓ４２）。イメージのいずれかの画素がＣＣＤ内の充満電荷パケットに対応していると（Ｓ４４）、そのときにはフォトダイオード内にオーバーフローした電荷が依然として残存している可能性がある。フォトダイオード読み出しシーケンスは、大半の画素がＣＣＤの電荷容量よりも低くなるまで繰り返される。シーケンスの終了時には、記憶されたイメージが一緒に加算されて（Ｓ４６）、最終イメージを再構築する（Ｓ４８）。
【００１６】
図７は、電子シャッタがない場合における、本発明の第１の実施形態のイメージ獲得シーケンスを示す。このシーケンスは、イメージセンサのフォトダイオードが全て空の状態で始まる。外部シャッタが開けられ（Ｓ３０）、且つ閉じられて（Ｓ３４）、イメージセンサを所定の露光時間だけイメージに露光する（Ｓ３２）。露光時間は、外部シャッタによって完全に制御される。外部シャッタは、イメージ読み出しの間に、フォトダイオードによる電荷の付加的な蓄積を妨げるために使用される。次に、転送ゲート領域がオンし（Ｓ３６）、フォトダイオードからＣＣＤへ電荷を転送する。転送ゲート領域がオフすると（Ｓ３８）、短い遅延によって、ＣＣＤ内の過剰電荷がフォトダイオードにオーバーフローして戻ることが許容される（Ｓ４０）。それからＣＣＤ内のイメージが読み出され、記憶される（Ｓ４２）。イメージのいずれかの画素がＣＣＤ内の充満電荷パケットに対応していると（Ｓ４４）、そのときにはフォトダイオード内にオーバーフローした電荷が依然として残存している可能性がある。フォトダイオード読み出しシーケンスは、大半の画素がＣＣＤの電荷容量よりも低くなるまで繰り返される。シーケンスの終了時には、記憶されたイメージが一緒に加算されて（Ｓ４６）、最終イメージを再構築する（Ｓ４８）。イメージが一緒に加算され得る一方で、ただ一つのイメージを保持するために十分なメモリのみが必要とされるようにそれらがイメージセンサから読み出されることが、明らかなこととして留意されるべきである。
【００１７】
本発明の代替的な実施形態が図８に示されている。従来技術と比較したこのイメージ獲得シーケンスの相違点を留意することが、有益である。シーケンスは、イメージセンサのフォトダイオードが全て空の状態で始まる。図８及び図９を参照すると、外部シャッタが開けられ（Ｓ５０）、且つ閉じられて（Ｓ５４）、イメージセンサを所定の露光時間だけイメージに露光する（Ｓ５２）。露光時間は、外部シャッタによって完全に制御される。外部シャッタは、イメージ読み出しの間に、フォトダイオードによる電荷の付加的な蓄積を妨げるために使用される。イメージ獲得シーケンスのこの部分は、図８の時刻Ｔ１におけるポテンシャルエネルギー図によって示されている。
【００１８】
次に、図８の時刻Ｔ２にて、転送ゲート領域が部分的にオンし（Ｓ５６）、フォトダイオードからＣＣＤへ電荷を転送する。転送ゲート領域がオンしている量は、ＣＣＤを電荷で満たすために必要とされるもののみである。フォトダイオードの転送ゲートがオフされる（Ｓ５８）。Ｔ３にて、ＣＣＤに転送されていないいくらかの電荷が、フォトダイオード内に依然として存在している。
【００１９】
次に、図９のイメージ獲得シーケンスにおいて、第１のイメージがＣＣＤから読み出されて（Ｓ６０）、メモリに記憶される。それから、転送ゲート領域が再びオンされる（Ｓ６２）。このとき、転送ゲート領域は、フォトダイオードからＣＣＤへの電荷の完全な転送を許容するのに十分なだけ、オンされる。次に、転送ゲート領域がオフされ（Ｓ６４）、第２のイメージがＣＣＤから読み出される。第１及び第２のイメージはそれから一緒に加算されて（Ｓ６６）、最終イメージを再構築する（Ｓ６８）。
【００２０】
図９のイメージ獲得シーケンスが、２つのフォトダイオード読み出しステップを越えて、３つ又はそれ以上の読み出しステップまで拡張され得ることを、明らかなこととして留意されたい。
【００２１】
本発明が、好適な実施形態を参照して記述されてきている。しかしながら、変更及び改変が、当業者によって本発明の範囲を逸脱することなく行われることができることを、認識されたい。
【００２２】
（附記）
本願の発明は以下のような態様で説明される。
（発明の態様１）
イメージセンサ内の光センシング領域から電荷結合デバイスへ電荷を転送する方法であって、
（ａ）光生成電荷を収集する光センシング領域と、電荷結合デバイス領域と、それらの間にある転送領域とを含む複数の画素を提供するステップと、
（ｂ）前記電荷結合デバイスにバリアを提供して、前記電荷の前記電荷結合デバイスを通った前記転送を生じさせるステップと、
（ｃ）前記電荷結合デバイスよりも低いバリアを有する前記転送領域を提供して、前記電荷結合デバイス内の過剰な電荷を前記光センシング領域に流すステップと、
を包含する、方法。
（発明の態様２）
（ｄ）第１のイメージを読み出すステップ、をさらに包含し、
ステップ（ｄ）が、
（ｄ１）前記転送領域の前記バリアを下げて、前記光センシング領域から前記電荷結合デバイスへの電荷の前記転送を生じさせるステップと、
（ｄ２）前記転送領域の前記バリアを上げて、前記電荷結合デバイスの過剰な電荷が前記光センシング領域に流れることを許容するステップと、
（ｄ３）前記電荷結合デバイス内の前記バリアと一つ又はそれ以上の付加的なバリアとを交互に上下して、前記イメージを読み出すステップと、
をさらに包含する、発明の態様１に記載の方法。
（発明の態様３）
ステップ（ｄ１）、（ｄ２）、及び（ｄ３）を繰り返して第２のイメージを読み出すステップをさらに包含する、発明の態様２に記載の方法。
（発明の態様４）
前記第１及び第２のイメージを加算して、各光センシング領域に元々あった実質的に全ての前記電荷を含む最終イメージを提供するステップをさらに包含する、発明の態様３に記載の方法。
（発明の態様５）
ステップ（ｄ１）、（ｄ２）、及び（ｄ３）を繰り返して第３のイメージを提供し且つ前記第３のイメージを前記最終イメージに加算するステップをさらに包含する、発明の態様４に記載の方法。
（発明の態様６）
全ての前記電荷が前記光センシング領域から転送されるまで、ステップ（ｄ１）、（ｄ２）、及び（ｄ３）を繰り返し且つ以前に前記加算されたイメージに加算するステップをさらに包含する、発明の態様５に記載の方法。
（発明の態様７）
ステップ（ｄ１）を開始する前にシャッタを閉じて、付加的な電荷が前記光センシング領域で生成されないようにするステップをさらに包含する、発明の態様２に記載の方法。
（発明の態様８）
（ｅ）前記イメージセンサの外部の第1のシャッタを開けるステップと、
（ｆ）電子シャッタを使用することによって前記光センシング領域から前記電荷をクリアするステップと、
（ｇ）前記光センシング領域を積算するステップと、
（ｈ）前記転送領域の前記バリアを下げて、前記光センシング領域から前記電荷結合デバイスへの電荷の前記転送を生じさせるステップと、
（ｉ）前記電子シャッタをオンするステップと、
（ｊ）前記第1の外部シャッタを閉じるステップと、
（ｋ）前記電子シャッタをオフするステップと、
（ｌ）前記転送領域のバリアを上げて、前記電荷結合デバイス内の過剰な電荷が前記光センシング領域に流入することを許容するステップと、
（ｍ）前記電荷結合デバイス内の前記バリアと一つ又はそれ以上の付加的なバリアとを交互に上下して、前記第1のイメージを読み出すステップと、
をさらに包含する、発明の態様１に記載の方法。
（発明の態様９）
ステップ（ｈ）、（ｌ）、及び（ｍ）を繰り返して第２のイメージを読み出すステップをさらに包含する、発明の態様８に記載の方法。
（発明の態様１０）
前記第１及び第２のイメージを加算して、各光センシング領域に元々あった実質的に全ての前記電荷を含む最終イメージを提供するステップをさらに包含する、発明の態様９に記載の方法。
（発明の態様１１）
ステップ（ｈ）、（ｌ）、及び（ｍ）を繰り返して第３のイメージを提供し且つ前記第３のイメージを前記最終イメージに加算するステップをさらに包含する、発明の態様１０に記載の方法。
（発明の態様１２）
全ての前記電荷が前記光センシング領域から転送されるまで、ステップ（ｈ）、（ｌ）、及び（ｍ）を繰り返し且つ前記以前に加算されたイメージに加算するステップをさらに包含する、発明の態様１１に記載の方法。
（発明の態様１３）
イメージセンサ内の光センシング領域から電荷結合デバイスへ電荷を転送する方法であって、
（ａ）光生成電荷を収集する光センシング領域と、電荷結合デバイス領域と、それらの間にある転送領域とを含む複数の画素を提供するステップと、
（ｂ）前記電荷結合デバイスにバリアを提供して、前記電荷の前記電荷結合デバイスを通った転送を生じさせるステップと、
（ｃ）バリアを有する前記転送領域を前記電荷結合デバイスと前記光センシング領域との間に提供するステップと
（ｄ）前記転送領域の前記バリアを下げて、前記光センシング領域から前記電荷結合デバイスへの電荷の部分的な転送を生じさせるステップと、
（ｅ）前記転送領域の前記バリアを上げるステップと、
（ｆ）前記電荷結合デバイス内の前記バリアと一つ又はそれ以上の付加的なバリアとを交互に上下して、第１のイメージを読み出すステップと、
を包含する、方法。
（発明の態様１４）
前記転送領域の前記バリアを下げて、前記光センシング領域から前記電荷結合デバイスへの電荷の完全な転送を生じさせて、第２のイメージを読み出すステップをさらに包含する、発明の態様１３に記載の方法。
（発明の態様１５）
前記第１及び第２のイメージを加算して、各光センシング領域に元々あった実質的に全ての前記電荷を含む最終イメージを提供するステップをさらに包含する、発明の態様１４に記載の方法。
（発明の態様１６）
ステップ（ｄ）を開始する前にシャッタを閉じて、付加的な電荷が前記光センシング領域で生成されないようにするステップをさらに包含する、発明の態様１３に記載の方法。
（発明の態様１７）
イメージセンサ内の光センシング領域から電荷結合デバイスへ電荷を転送するカメラであって、
（ａ）光生成電荷を収集する光センシング領域と、電荷結合デバイス領域と、それらの間にある転送領域とを含む複数の画素と、
（ｂ）前記電荷の前記電荷結合デバイスを通った前記転送を生じさせる前記電荷結合デバイス内のバリアと、
を備えており、
前記転送領域は、前記電荷結合デバイスよりも低いバリアを含み、前記電荷結合デバイス内の過剰な電荷を前記光センシング領域に流す、カメラ。
（発明の態様１８）
（ｃ）第１のイメージを読み出す機構をさらに備えており、
前記読み出し機構が、
（ｃ１）前記転送領域の前記バリアを下げて、前記光センシング領域から前記電荷結合デバイスへの前記電荷の前記転送を生じさせる機構と、
（ｃ２）前記転送領域の前記バリアを上げて、前記電荷結合デバイスの過剰な電荷が前記光センシング領域に流れることを許容する機構と、
（ｃ３）前記電荷結合デバイス内の前記バリアと一つ又はそれ以上の付加的なバリアとを交互に上下して、前記イメージを読み出す機構と、
をさらに備える、発明の態様１７に記載のカメラ。
（発明の態様１９）
前記（ｃ１）、（ｃ２）、及び（ｃ３）の機能を繰り返して第２のイメージを読み出す機構をさらに備える、発明の態様１８に記載のカメラ。
（発明の態様２０）
前記第１及び第２のイメージを加算して、各光センシング領域に元々あった実質的に全ての前記電荷を含む最終イメージを提供する機構をさらに備える、発明の態様１９に記載のカメラ。
（発明の態様２１）
前記（ｃ１）、（ｃ２）、及び（ｃ３）の機能を繰り返して第３のイメージを提供し且つ前記第３のイメージを前記最終イメージに加算する機構をさらに備える、発明の態様２０に記載のカメラ。
（発明の態様２２）
全ての前記電荷が前記光センシング領域から転送されるまで、前記（ｃ１）、（ｃ２）、及び（ｃ３）の機能を繰り返す機構と、以前に加算されたイメージに加算する機構と、をさらに備える、発明の態様２１に記載のカメラ。
（発明の態様２３）
（ｃ１）の機能を開始する前にシャッタを閉じて、付加的な電荷が前記光センシング領域で生成されないようにする機構をさらに備える、発明の態様１９に記載のカメラ。
（発明の態様２４）
（ｄ）前記イメージセンサの外部の第1のシャッタを開ける機構と、
（ｅ）電子シャッタを使用することによって前記光センシング領域から前記電荷をクリアする機構と、
（ｆ）前記光センシング領域を積算する機構と、
（ｇ）前記転送領域の前記バリアを下げて、前記光センシング領域から前記電荷結合デバイスへの電荷の前記転送を生じさせる機構と、
（ｈ）前記電子シャッタをオンする機構と、
（ｉ）前記第1の外部シャッタを閉じる機構と、
（ｊ）前記電子シャッタをオフする機構と、
（ｋ）前記転送領域の前記バリアを上げて、前記電荷結合デバイス内の過剰な電荷が前記光センシング領域に流入することを許容する機構と、
（ｌ）前記電荷結合デバイス内の前記バリアと一つ又はそれ以上の付加的なバリアとを交互に上下して、前記第1のイメージを読み出す機構と、
をさらに備える、発明の態様１７に記載のカメラ。
（発明の態様２５）
前記（ｇ）、（ｋ）、及び（ｌ）の機能を繰り返して第２のイメージを読み出す機構をさらに備える、発明の態様２４に記載のカメラ。
（発明の態様２６）
前記第１及び第２のイメージを加算して、各光センシング領域に元々あった実質的に全ての前記電荷を含む最終イメージを提供する機構をさらに備える、発明の態様２５に記載のカメラ。
（発明の態様２７）
前記（ｇ）、（ｋ）、及び（ｌ）の機能を繰り返して第３のイメージを提供し且つ前記第３のイメージを前記最終イメージに加算する機構をさらに備える、発明の態様２６に記載のカメラ。
（発明の態様２８）
全ての前記電荷が前記光センシング領域から転送されるまで、前記（ｇ）、（ｋ）、及び（ｌ）の機能を繰り返し且つ前記以前に加算されたイメージに加算する機構をさらに備える、発明の態様２７に記載の方法。
（発明の態様２９）
イメージセンサ内の光センシング領域から電荷結合デバイスへ電荷を転送するイメージセンサを備えたカメラであって、前記イメージセンサが、
（ａ）光生成電荷を収集する光センシング領域と、電荷結合デバイス領域と、それらの間にある転送領域とを含む複数の画素と、
（ｂ）前記電荷の前記電荷結合デバイスを通った前記転送を生じさせる前記電荷結合デバイス内のバリアであって、前記転送領域が前記電荷結合デバイスと前記光センシング領域との間にバリアを含む、バリアと、
（ｃ）前記転送領域の前記バリアを下げて、前記光センシング領域から前記電荷結合デバイスへの電荷の部分的な転送を生じさせる機構と、
（ｄ）前記転送領域の前記バリアを上げる機構と、
（ｅ）前記電荷結合デバイス内の前記バリアと一つ又はそれ以上の付加的なバリアとを交互に上下して、第１のイメージを読み出す機構と、
を備える、カメラ。
（発明の態様３０）
前記転送領域の前記バリアを下げて、前記光センシング領域から前記電荷結合デバイスへの電荷の完全な転送を生じさせて第２のイメージを読み出す機構をさらに備える、発明の態様２９に記載のカメラ。
（発明の態様３１）
前記第１及び第２のイメージを加算して、各光センシング領域に元々あった実質的に全ての前記電荷を含む最終イメージを提供する機構をさらに備える、発明の態様３０に記載のカメラ。
（発明の態様３２）
前記（ｄ）の機能を開始する前にシャッタを閉じて、付加的な電荷が前記光センシング領域で生成されないようにする機構をさらに備える、発明の態様２９に記載のカメラ。
【図１】
2010233256.tif 000003
【図２】
2010233256.tif 000004
【図３】
2010233256.tif 000005
【図４】
2010233256.tif 000006
【図５】
2010233256.tif 000007
【図６】
2010233256.tif 000008
【図７】
2010233256.tif 000009
【図８】
2010233256.tif 000010
【図９】
2010233256.tif 000011